(57)【要約】    【課題】  納得のゆく選択判断ができるため、相性がフィットする交際相手選びができる人物紹介のための情報紙を提供する。    【解決手段】  複数の人物のプロフィールを紹介する内容を紙面に掲載して、その人物との交際を希望する希望者を募るために頒布される人物紹介のための情報紙であって、情報紙の名称、発行者の住所、名称を含む情報紙タイトル項目を記載するタイトル領域と、前記人物のプロフィールを紹介する紹介領域と、希望者の応募方法を含む手続要領を包含する要領記載項目を記載する要領記載領域とを具えるとともに、前記紹介領域は、碁盤目状に縦横に並んで配列された矩形状の個人ブロックに区画され、各個人ブロックは、各人物についての共通する共通紹介項目により該人物のプロフィールを紹介する基準紹介欄を含むことを特徴とする。【選択図】  図１
0003113337.tif 000002
【実用新案登録請求の範囲】
【請求項１】
複数の人物のプロフィールを紹介する内容を紙面に掲載して、その人物との交際を希望する希望者を募るために頒布される人物紹介のための情報紙であって、
情報紙の名称、発行者の住所、名称を含む情報紙タイトル項目を記載するタイトル領域と、
前記人物のプロフィールを紹介する紹介領域と、
希望者の応募方法を含む手続要領を包含する要領記載項目を記載する要領記載領域とを具えるとともに、
前記紹介領域は、碁盤目状に縦横に並んで配列された矩形状の個人ブロックに区画され、
各個人ブロックは、各人物についての共通する共通紹介項目により該人物のプロフィールを紹介する基準紹介欄を含むことを特徴とする人物紹介のための情報紙。
【請求項２】
前記基準紹介欄は、人物の識別名と、年齢を示唆する年齢示唆欄と、広域で表示する住所記載欄と、最高学歴、職業、及び年収を含むキャリアを記載するキャリア欄とを含むことを特徴とする請求項１記載の人物紹介のための情報紙。
【請求項３】
前記基準紹介欄は、人物の身長及び体重と、血液型と、婚姻暦と、趣味とを含む他の個人情報を記載する他の個人データ欄を具えることを特徴とする請求項１又は２記載の人物紹介のための情報紙。
【請求項４】
前記紹介領域は、該当人物の特徴、アピールを記載する自己紹介欄を含むことを特徴とする請求項１〜３のいずれかに記載の人物紹介のための情報紙。
【請求項５】
個人ブロックは、基準寸度の基準の個人ブロックと、それを複数倍した大型の個人ブロックとを含み、該大型の個人ブロックにおいて、基準紹介欄と、自己紹介欄との配列を異ならせたことを特徴とする請求項１〜４のいずれかに記載の人物紹介のための情報紙。
【請求項６】
前記タイトル領域は、情報紙のトレードマーク、情報紙発行者のトレードマーク、人物紹介サービス業務のサービスマークの少なくとも一つが掲載されることを特徴とする請求項１〜５のいずれかに記載の人物紹介のための情報紙。
【請求項７】
前記人物のプロフィールを紹介する紹介領域は、男女が、情報の表裏により、又は着色を違えることにより区別したことを特徴とすることを特徴とする請求項１〜６のいずれかに記載の人物紹介のための情報紙。
【請求項８】
前記タイトル領域は、前記紙面の上端部に配される上の横帯部、及び紙面の下端部に配置される下の横帯部に設けられ、
前記下の横帯部には、情報紙の発行者の住所、電話番号、ファックス番号、メールアドレス、ホームページアドレスの少なくとも一つを含む連絡先が掲載されることを特徴とする請求項１〜７のいずれかに記載の人物紹介のための情報紙。
【請求項９】
前記紙面は、その右又は左の側部に上下にのびる縦帯部が配置され、
前記要領記載領域は、この縦帯部に設けられることを特徴とする請求項１〜８のいずれかに記載の人物紹介のための情報紙。
【考案の詳細な説明】
【技術分野】
【０００１】
本考案は、相性が一致する好適な交際相手を選ぶことのできる人物紹介のための情報紙に関する。
【背景技術】
【０００２】
交際を希望する男女に関する情報を多く所有した仲人が、条件の釣り合うカップルを選んだ上で、双方に相方の情報を記載した釣書を渡して紹介するサービスは予ねてから行われていた。しかしながら、通常個人で活動する仲人が蓄積できる情報量には限界があるため、マッチングするカップルの選定には限界があるという問題がある。しかも仲人の一次判断が先ず優先するため、当事者の好み、判断基準に外れた紹介がなされるケースが多くなる傾向があった。
【０００３】
そこで、紹介サービス業者が運営する管理サーバと端末とをインターネットにより接続し、前記端末を通じて男女会員の双方からマッチングの希望があったとき、前記管理サーバが、紹介サービス業者が保有する男女会員の個人データを記録したデータベースを参照し、予め用意された相性診断プログラムに従って、前記男女会員双方に関するデータのデータマッチングを行い、このデータマッチングの結果、男女会員双方の希望条件が一定の基準を満たしている場合に、電子メール、ファクシミリ、または郵送などの通信手段によって男女会員双方のプロフィールを紹介する結婚相手紹介システムが提案されている（例えば、特許文献１参照）。
【０００４】
【特許文献１】特開２００２−１５０５２号公報
【考案の開示】
【考案が解決しようとする課題】
【０００５】
しかしながら、相性診断プログラムは平均的な判定尺度に照合され、標準的な診断結果が得られるものの、個人的な判断基準のバラツキが全く反映されない。すなわち、異性に対する個人の好みは千差万別であり、たとえ似た好みであっても微妙にニュアンスの異なる好き嫌いの基準を各個人が抱いており、この尺度を相性診断プログラムに組み込むことは到底不可能である。
【０００６】
また各人が生まれながらにして持ち合わせ、更には異なる環境の中で培われた個人の性格、或いは長年積み上げてきた経験に基づく価値判断基準は、個人によって大きく異なることは当然である。しかも結婚相手を選ぶ上で、これらの価値基準は大きなウエートを占めるものであるが、前記相性診断プログラムにこれを反映することもできない。
【０００７】
従って、個人により異なる非常にナイーブな感性、或いはインスピレーションといった個人固有の要素に大きく左右される相性の判断を、コンピュータが行う場合には、フィットするカップルを選定する確率が低くなり、従って実績の上がらない前記結婚相手紹介システムは普及しないのが実態である。
【０００８】
本考案は、タイトル領域と、紹介領域と、要領記載領域とを具えるとともに、前記紹介領域は、矩形状の個人ブロックに区画され、各個人ブロックは基準紹介欄を含むことを基本とし、納得のゆく選択判断ができるため、相性がフィットする交際相手選びができる人物紹介のための情報紙の提供を課題としている。
【課題を解決するための手段】
【０００９】
前記目的を達成するために、請求項１に係る考案は、複数の人物のプロフィールを紹介する内容を紙面に掲載して、その人物との交際を希望する希望者を募るために頒布される人物紹介のための情報紙であって、情報紙の名称、発行者の住所、名称を含む情報紙タイトル項目を記載するタイトル領域と、前記人物のプロフィールを紹介する紹介領域と、希望者の応募方法を含む手続要領を包含する要領記載項目を記載する要領記載領域とを具えるとともに、前記紹介領域は、碁盤目状に縦横に並んで配列された矩形状の個人ブロックに区画され、各個人ブロックは、各人物についての共通する共通紹介項目により該人物のプロフィールを紹介する基準紹介欄を含むことを特徴とする。
【００１０】
請求項２に係る考案では、前記基準紹介欄は、人物の識別名と、年齢を示唆する年齢示唆欄と、広域で表示する住所記載欄と、最高学歴、職業、及び年収を含むキャリアを記載するキャリア欄とを含み、また請求項３に係る考案においては、前記基準紹介欄は、人物の身長及び体重と、血液型と、婚姻暦と、趣味とを含む他の個人情報を記載する他の個人データ欄を具えることを特徴とする。
【００１１】
請求項４に係る考案では、前記紹介領域は、該当人物の特徴、アピールを記載する自己紹介欄を含み、また請求項５に係る考案において、個人ブロックは、基準寸度の基準の個人ブロックと、それを複数倍した大型の個人ブロックとを含み、該大型の個人ブロックにおいて、基準紹介欄と、自己紹介欄との配列を異ならせたことを特徴とする。
【００１２】
請求項６に係る考案では、前記タイトル領域は、情報紙のトレードマーク、情報紙発行者のトレードマーク、人物紹介サービス業務のサービスマークの少なくとも一つが掲載され、また請求項７に係る考案において、前記人物のプロフィールを紹介する紹介領域は、男女が、情報の表裏により、又は着色を違えることにより区別したことを特徴とする。
【００１３】
請求項８に係る考案では、前記タイトル領域は、前記紙面の上端部に配される上の横帯部、及び紙面の下端部に配置される下の横帯部に設けられ、前記下の横帯部には、情報紙の発行者の住所、電話番号、ファックス番号、メールアドレス、ホームページアドレスの少なくとも一つを含む連絡先が掲載され、また請求項９に係る考案において、前記紙面は、その右又は左の側部に上下にのびる縦帯部が配置され、前記要領記載領域は、この縦帯部に設けられることを特徴とする。
【考案の効果】
【００１４】
請求項１に係る考案は、碁盤目状に縦横に配列された個人ブロックに、紹介人物のプロフィールが掲載されるため、同一の紙面で複数の紹介人物の情報を同時に知ることができる。従って、満足の行くまで充分に吟味して、個人個人の判断基準及び感性に基づいた納得のゆく交際相手選びができるため、相性がフィットする確率が向上する。また、基準紹介欄には、共通紹介項目が掲載されるため、複数の紹介人物のプロフィールを同じ尺度によって、しかも多角的に比較検討することができる。従って判断に誤りを生じないとともに、自分に対しても確信の持てる選択を行うことができる。
【００１５】
請求項２に係る考案では、年齢示唆欄、住所記載欄及び最高学歴、職業、年収などを含むキャリア欄によって、人物の基本となるアウトラインを明確に知ることができ、確実な判断を可能とする。また請求項３に係る考案のように構成すると、基準紹介欄には、紹介人物の身長、体重、血液型、及び婚姻暦、趣味を含む他の個人情報が一律に掲載されるために、人物像が一層明確化され、その結果利用者は、自分の感性に基づいてより確度の高い判定を行うことができる。
【００１６】
請求項４に係る考案では、自己紹介欄において、自らの強み、信条などを訴えることができるため、自己の内面についての深い理解を得ることができる。また自己紹介欄の情報から、個々に切り口の異なる新鮮な人間性を知ることができるため、インスピレーションを働かせた確実な選択が可能となる。
【００１７】
請求項５に係る考案では、基準の個人ブロックと、大型の個人ブロックとを組み合わせて配置することにより、情報量に変化のあるメリハリの効いた紙面を構成できる。しかも大型の個人ブロックでは、大きさに加えて紹介欄の配列にも違いがあるため、紙面全体の編集に変化が生まれ、読者は適度な刺激を感じて心地良く利用できる。
【００１８】
請求項６に係る考案においては、トレードマーク、サービスマークなどマーク類の掲載によって、情報紙のイメージを定着化できるため、利用者の継続的な利用が促され、併せて、広告宣伝、口コミ紹介などを通じた利用者の拡大を促進できる。また請求項７に係る考案では、男女の紹介領域の別が、情報紙の表裏に分けて、又は色を違えて区別されるため、一目で男女紹介領域を見分けることができて利用者の利便性を高めうる。しかも整然とした紙面構成となるため、読者に良好な印象を与えることができる。
【００１９】
請求項８に係る考案では、タイトル領域が上の横帯部、及び下の横帯部に配置されるため、情報誌の名称、発行者の住所、連絡先などを一目で把握でき、利用者の便を高めることができる。また請求項９に係る考案においては、紙面の側部に区切りを設ける側帯部によって、情報紙のデザインイメージを向上できるとともに、側帯部に配された要領記載領域により、応募時の要領などを、利用者に解かり易く伝えることができる。
【考案を実施するための最良の形態】
【００２０】
以下、本考案の実施の一形態を、図示例とともに説明する。人物紹介のための情報紙１は、紙面に複数の人物のプロフィールを紹介する内容を掲載し、紹介人物との交際を希望する希望者を募るために頒布されるものである。そして人物紹介のための情報紙１は、図１に示すように、前記人物のプロフィールを紹介する紹介領域４と、情報紙タイトル項目２を記載するタイトル領域３と、要領記載項目５を記載する要領記載領域６とを具える。なお本形態では、前記紹介される人物は、予め交際の紹介を希望して、かつ一定の手続きを経て会員登録されることを前提としている。また本形態の人物紹介のための情報紙１は、タブロイドサイズの大きさに形成されるが、これの倍寸のブランケットサイズ、逆に小さなＢ４サイズ、Ａ４サイズなどの大きさとすることもできる。
【００２１】
前記紹介領域４は、図１に示すように、碁盤目状に縦横に並んで配列され、矩形状をなす個人ブロック７に区画され、個人ブロック７毎に一人の紹介人物のプロフィールが掲載される。本形態では、個人ブロック７は、縦４列、横５行に区画された割付け例が示される。そして本形態の個人ブロック７は、図２に示すように、３ｍｍ程度の太巾で鍵型の仕切り線２１により区画されている。鍵型の仕切り線２１の繰り返しにより洗練されたデザインの個人ブロック７が形成される点で好ましい。
【００２２】
本形態の個人ブロック７は、図１、２に示すように、例えば縦横共６０ｍｍ程度の標準寸度に区画された基準の個人ブロック７Ａと、図３に示すように、左右に並ぶ一対の基準の個人ブロック７Ａを連結して形成した横長の大型の個人ブロック７Ｂと、図４に示すように、上下に並ぶ一対の基準の個人ブロック７Ａを連結して形成した縦長の大型の個人ブロック７Ｂとを含み構成されたものを例示している。なお前記大型の個人ブロック７Ｂは、これよりも大きく、基準の個人ブロック７Ａを３個以上連結した大きさに構成することもよい。図１に示すように、基準の個人ブロック７Ａの中に、大型の個人ブロック７Ｂを適宜配置することにより、一つの個人ブロック７に掲載される情報量に変化を持たせて、メリハリの効いた紙面を構成できる。
【００２３】
前記個人ブロック７には、図２に示すように、全紹介人物に対し、共通的に紹介するプロフィールである共通紹介項目を掲載する基準紹介欄８が配される。そしてこの共通紹介項目としては、本形態では、その人物の識別名８Ｍと、年齢を示唆する年齢示唆欄８Ａと、住所記載欄８Ｂと、キャリア欄８Ｄと、他の個人データ欄８Ｅとが含まれる。
【００２４】
人物の識別名８Ｍは、本形態では、各紹介人物の実際の名をカタカナで表示しているが、この他、姓名の頭文字をアルファベットで表示したもの、各人物が登録したペットネームを表示するものなどを使用することもできる。
【００２５】
前記年齢を示唆する年齢示唆欄８Ａには、本形態では、生年年月を表示しているが、３０歳台などのように年代のみを表示する方法、或いは１９７０年代生まれのように誕生した西暦の年代を表示する方法、更には、酉年生まれなどのように誕生年の干支を表示するものなど各種の年齢示唆情報を掲載することができる。また前記住所記載欄８Ｂには、広域レベルの内容を表示するすものとし、本形態では、本籍地である都道府県名と住所を示す市町村名が掲載される。
【００２６】
前記キャリア欄８Ｄには、最高学歴、職業とその業種、年収、及び保有免許・資格を含む人物のキャリアが記載される。掲載される最高学歴は、卒業した最終学歴とし、専門学校の場合には中卒後、高卒後などを付記することが望ましい。また登録会員の希望に応じて、最終学歴の学校名を掲載することもある。職業は、会社員、公務員、自営などの種別を記載し、業種は建設、金融、サービス業などその職業の属する分野を開示する。なお無職の場合には、双方ともブランクとする。このようにキャリア欄８Ｄに含まれる年齢示唆欄８Ａ、住所記載欄及びキャリア欄８Ｄによって、人物の基本となるアウトラインとしての情報が明確に開示されるため、これを基にして確実に交際相手の選択を行うことができる。
【００２７】
更に前記他の個人データ欄８Ｅには、他の個人情報も記載される。この他の個人情報としては、人物の身長、体重、血液型、婚姻暦、趣味の他、メガネの有無、酒量などが含まれる。このように基準紹介欄８において他の個人情報が一律に掲載されるため、多角的な側面の情報により人物像が一層明確化する。その結果利用者はこれら情報に基づき、自分の感性による信頼度の高い相性判定が可能となるため、相応しい交際相手を選ぶことができる。
【００２８】
しかも、前記他の個人データ欄８Ｅを含んで、個人ブロック７に掲載される共通紹介事項は、全人物に対し共通して掲載され、しかも横書きされた各項目が、理解しやすいよう項目毎に改行され、上下に列記して掲載される。従って複数の紹介人物のプロフィールを同じ尺度に基づいて、多角的に比較して相性を検討することができるため、相性判断をより正確に行えるとともに、自分自身に対して確信の持てる選択を行うことができる。
【００２９】
また本形態の紹介領域４は、前記基準紹介欄８に加えて、自己紹介欄９が設けられる。この自己紹介欄９は、紹介人物が自らの特徴を記載することにより、自分をアピールした短文を掲載するものである。そして本形態の自己紹介欄９は、図２に示すように、基準の個人ブロック７Ａ内の右側に配置された基準紹介欄８の左側に配され、しかも着色された略矩形の枠内領域に縦書きの文体で掲載される。前記自己紹介欄９において、自らの強み、信条などをアピールすることができるため、内面的な側面に対して深い理解が得られる。また自己紹介欄９の情報から、個々切り口の異なる新鮮な人間性を理解でき、その結果確実な交際相手の選択が可能となる。
【００３０】
前記大型の個人ブロック７Ｂにおいては、図３、４に示すように、上下に前記自己紹介欄９を上、かつ基準紹介欄８を下に配置している。従って、前記の如く左右に配した基準の個人ブロック７Ａとは、紹介欄の配置が違うため、情報紙全体としての編集に変化が生まれ、その結果利用者は視覚的、心理的に適度の刺激を受けて、飽きることなく利用しうる。
【００３１】
前記タイトル領域３は、情報紙の発行主体、及び人材紹介サービスの主体などを表示する情報紙タイトル項目２が掲載される。しかも本形態の情報紙タイトル項目２は、紙面の上端部に横にのびる上の横帯部１０Ｕ、及び紙面の下端部に配置される下の横帯部１０Ｄの中に配置される。更に本形態の情報紙タイトル項目２としては、図１に示すように、前記上の横帯部１０Ｕに「お見合いニュース」として表示される情報紙の名称２Ａ、図６に示すように、前記下の横帯部１０Ｄに「株式会社エー△シー」として表示される発行者の名称２Ｄ、その下に「〒５４３−２１００東西市山田町１−２−３４」として表示される発行者の住所２Ｂ、これに続けて「（地下鉄中央線山田駅徒歩２分）」として表示される発行者への道順２２、更に続けて表示される発行者の電話番号２Ｆ及びファックス番号２Ｆを含んでいる。また前記発行者の電話番号２Ｔ及びファックス番号２Ｆの他、メールアドレス２Ｍ、ホームページアドレス２Ｈ、フリーダイヤル番号２３などの連絡先が情報紙タイトル項目２に含まれ、前記上、下の横帯部１０Ｕ、１０Ｄに配置されている。このように、情報紙タイトル項目２を記載したタイトル領域３が上の横帯部１０Ｕ、及び下の横帯部１０Ｄに配置されるため、情報紙の名称２Ａ、発行者の住所２Ｂ及びその連絡先などの主要事項が一目で簡単に把握され、利用者の便を高めることができる。
【００３２】
本形態のタイトル領域３は、さらに下の横帯部１０Ｄに記載された前記発行者の名称２Ｄの左隣に略星印状をなした、情報紙発行者のトレードマーク２４が掲載される。これ以外に、情報紙のトレードマーク、人物紹介サービス業務のサービスマークなどのマークを掲載することもよい。これらのマークをタイトル領域３に掲載することによって、情報紙のイメージを定着化できるため、利用者の継続的な利用が促進され、また広告宣伝、口コミ紹介などを通じて利用者数、人物掲載登録者数、紹介サービス応募者などの拡大を図ることができる。
【００３３】
前記要領記載領域６は、紹介紙への掲載を希望する人物が会員登録する方法、紹介希望者の応募方法を含む手続要領を示した要領記載項目５が記載される。そして本形態では、図８に示すように、前記上の横帯部１０Ｕ内に「掲載会員に交際ご希望の方、このチラシに掲載ご希望の方は下記までお問い合わせください」と記載し、かつ前記メールアドレス２Ｍ、ホームページアドレス２Ｈ、フリーダイヤル番号２３などの連絡先とともに前記要領記載項目５を構成している。
【００３４】
さらに本形態では、紙面の左右の側部に側帯部１１が設けられる。そして右の側帯部１１Ｒの中にも「ここに記載されている方は、在職証・学歴証・独身証明を提出されておられますので安心です」と記載して、利用者に対する説明を兼ねて、会員登録時に提出する書類を示した要領記載領域６が設けられている。また本形態の左の側帯部１１Ｌには、「あなたを待っている人がいる・あなたを探す人がいる」としたキャッチフレーズ２５が掲載され、会員登録、及び紹介応募の誘引を図っている。このように紙面の側部に区切りをつける側帯部を設けることにより、情報紙のデザインイメージを向上することができる。更に側帯部に配された要領記載領域により、登録時の必要書類、応募時の要領などを、利用者に解かり易く伝えることができる。
【００３５】
本形態では、図１に示す紙面の一方の面は、男性紹介ページとして男性会員の紹介領域４をまとめて掲載し、図７、８に示す他方の紙面には、女性紹介ページとして女性会員の紹介領域４のみを掲載している。更に本形態では、男性紹介ページには、例えば青系の男性的な色を、前記基準の個人ブロック７Ａの自己紹介欄９、その仕切り線２１、大型の個人ブロック７Ｂ、上、下の横帯部１０Ｕ、１０Ｄ、左右の側帯部１１Ｌ、１１Ｒに各々濃淡を変えて着色し、女性紹介ページには、例えば赤系の女性的な色を同様にして着色している。このように男女の紹介領域の別を、情報紙の表裏に分けて、又は色を違えて区別すると、一目で男女紹介領域を判別することができて利用者の利便性を高めることができる。しかも整然とした紙面構成となるため、情報紙に良好な印象を与えることができる。なお前記ブランケットサイズ、タブロイドサイズなど大判の紙面では、同じ紙面を二分して男性女性の紹介ページを区分して掲載することもできる。或いは複数ページに及ぶ紙面では、複数ページの前後半を、前記の如く男女で色分けすることにより、男性女性の紹介ページを分離して編集することもよい。
【００３６】
このように構成された人物紹介のための情報紙１を用いると、碁盤目状に縦横に配列された個人ブロックに、複数の紹介人物のプロフィールが各々掲載されるため、同一の紙面で複数の人物の情報を同時に見ることができる。従って、満足できるまで充分に比較検討できるため、個人個人の判断基準と感性に基づいた納得のゆく選択が可能となり、相性がフィットした相応しい交際相手を選ぶ確率が向上する。また、基準紹介欄には、統一の共通紹介項目が掲載されるため、複数の紹介人物のプロフィールを同じ尺度に基づいて、しかも多角的に比較検討することができる。従って交際相手選びに狂いを生じないとともに、自分に対しても納得のゆく確信を持った選択を行うことができる。
【００３７】
尚、叙上の説明は本考案の実施の形態を例示したものである。従って本考案の技術的範囲はこれに何ら限定されるものではなく、前記した実施の形態の他にも、例えば上下左右の欄の位置を変更する、或いはその一部を省略する等、各種の変形例が含まれる。
【図面の簡単な説明】
【００３８】
【図１】本考案の一実施の形態を例示する正面図である。
【図２】その要部拡大図である。
【図３】大型の個人ブロックを例示する要部拡大図である。
【図４】異なる大型の個人ブロックを例示する要部拡大図である。
【図５】上の横帯部を例示する要部拡大図である。
【図６】下の横帯部を例示する要部拡大図である。
【図７】反対側の紙面の形態を例示する正面図である。
【図８】その要部拡大図である。
【符号の説明】
【００３９】
１      人物紹介のための情報紙
２      情報紙タイトル項目
２Ａ    情報紙の名称
２Ｂ    発行者の住所
２Ｄ    発行者の名称
２Ｆ    発行者のファックス番号
２Ｈ    発行者のホームページアドレス
２Ｍ    発行者のメールアドレス
２Ｔ    発行者の電話番号
３      タイトル領域
４      紹介領域
５      要領記載項目
６      要領記載領域
７      個人ブロック
７Ａ    標準の個人ブロック
７Ｂ    大型の個人ブロック
８      基準紹介欄
８Ａ    年齢示唆欄
８Ｂ    住所記載欄
８Ｄ    キャリア欄
８Ｅ    他の個人データ欄
９      自己紹介欄
１０Ｕ    上の横帯部
１０Ｄ    下の上帯部
１１      側帯部
【図１】
0003113337.tif 000003
【図２】
0003113337.tif 000004
【図３】
0003113337.tif 000005
【図４】
0003113337.tif 000006
【図５】
0003113337.tif 000007
【図６】
0003113337.tif 000008
【図７】
0003113337.tif 000009
【図８】
0003113337.tif 000010
【手続補正書】
【提出日】平成17年6月20日(2005.6.20)
【手続補正１】
【補正対象書類名】実用新案登録請求の範囲
【補正対象項目名】全文
【補正方法】変更
【補正の内容】
【実用新案登録請求の範囲】
【請求項１】
複数の人物のプロフィールを紹介する内容を紙面に掲載して、その人物との交際を希望する希望者を募るために頒布される人物紹介のための情報紙であって、
前記人物のプロフィールを紹介する紹介領域が設けられ、
前記紹介領域は、一人の紹介人物のプロフィールが掲載される個人ブロックの複数個に区画され、
前記各個人ブロックは、矩形状に区画され、かつ、縦横に並んで配列されることにより前記紹介領域は全体として矩形状をなすことを特徴とする人物紹介のための情報紙。
【請求項２】
情報紙の名称、発行者の住所、名称を含む情報紙タイトル項目を記載するタイトル領域と、
希望者の応募方法を含む手続要領を包含する要領記載項目を記載する要領記載領域とがさらに設けられるとともに、
各個人ブロックは、各人物についての共通する共通紹介項目により該人物のプロフィールを紹介する基準紹介欄を含み、
しかも前記基準紹介欄は、人物の識別名と、年齢を示唆する年齢示唆欄と、広域で表示する住所記載欄と、最高学歴、職業、及び年収を含むキャリアを記載するキャリア欄とを含むことを特徴とする請求項１記載の人物紹介のための情報紙。
【請求項３】
前記基準紹介欄は、人物の身長及び体重と、血液型と、婚姻暦と、趣味とを含む他の個人情報を記載する他の個人データ欄を具えることを特徴とする請求項２記載の人物紹介のための情報紙。
【請求項４】
前記紹介領域は、該当人物の特徴、アピールを記載する自己紹介欄を含むことを特徴とする請求項１〜３のいずれかに記載の人物紹介のための情報紙。
【請求項５】
前記個人ブロックは、基準寸度の基準の個人ブロックと、それを複数倍した大型の個人ブロックとを含むことを特徴とする請求項１〜４のいずれかに記載の人物紹介のための情報紙。
【請求項６】
前記大型の個人ブロックは、基準紹介欄と、自己紹介欄との配列が、基準の個人ブロックと異なることを特徴とする請求項５記載の人物紹介のための情報紙。
【請求項７】
前記紹介領域は、紹介する男女の別を、情報紙の表裏に分けて、又は色を異ならせ区別することを特徴とする請求項１〜６のいずれかに記載の人物紹介のための情報紙。
【請求項８】
前記タイトル領域は、前記紙面の上端部に配される上の横帯部、及び紙面の下端部に配置される下の横帯部に設けられ、
前記下の横帯部には、情報紙の発行者の住所、電話番号、ファックス番号、メールアドレス、ホームページアドレスの少なくとも一つを含む連絡先が掲載されることを特徴とする請求項２に記載の人物紹介のための情報紙。
【請求項９】
前記紙面は、その右又は左の側部に上下にのびる縦帯部が配置され、
前記要領記載領域は、この縦帯部に設けられることを特徴とする請求項２に記載の人物紹介のための情報紙。
【手続補正２】
【補正対象書類名】明細書
【補正対象項目名】０００８
【補正方法】変更
【補正の内容】
【０００８】
本考案は、人物のプロフィールを紹介する紹介領域が設けられ、前記紹介領域は、一人の紹介人物のプロフィールが掲載される個人ブロックの複数個に区画され、前記各個人ブロックは、矩形状をなし、かつ、縦横に並んで配列されることにより前記紹介領域は全体として矩形状をなすことを特徴とする人物紹介のための情報紙の提供を課題としている。
【手続補正３】
【補正対象書類名】明細書
【補正対象項目名】０００９
【補正方法】変更
【補正の内容】
【０００９】
前記目的を達成するために、複数の人物のプロフィールを紹介する内容を紙面に掲載して、その人物との交際を希望する希望者を募るために頒布される人物紹介のための情報紙であって、前記人物のプロフィールを紹介する紹介領域が設けられ、前記紹介領域は、一人の紹介人物のプロフィールが掲載される個人ブロックの複数個に区画され、前記各個人ブロックは、矩形状をなし、かつ、縦横に並んで配列されることにより前記紹介領域は全体として矩形状をなすことを特徴とする。
【手続補正４】
【補正対象書類名】明細書
【補正対象項目名】００１０
【補正方法】変更
【補正の内容】
【００１０】
請求項２に係る考案では、情報紙の名称、発行者の住所、名称を含む情報紙タイトル項目を記載するタイトル領域と、希望者の応募方法を含む手続要領を包含する要領記載項目を記載する要領記載領域とがさらに設けられるとともに、各個人ブロックは、各人物についての共通する共通紹介項目により該人物のプロフィールを紹介する基準紹介欄を含み、しかも前記基準紹介欄は、人物の識別名と、年齢を示唆する年齢示唆欄と、広域で表示する住所記載欄と、最高学歴、職業、及び年収を含むキャリアを記載するキャリア欄とを含むことを特徴とする請求項１記載の人物紹介のための情報紙である。
【手続補正５】
【補正対象書類名】明細書
【補正対象項目名】００１１
【補正方法】変更
【補正の内容】
【００１１】
請求項４に係る考案では、前記紹介領域は、該当人物の特徴、アピールを記載する自己紹介欄を含むことを特徴とする請求項１〜３のいずれかに記載の人物紹介のための情報紙である。
【手続補正６】
【補正対象書類名】明細書
【補正対象項目名】００１２
【補正方法】変更
【補正の内容】
【００１２】
また請求項５に係る考案では、前記個人ブロックは、基準寸度の基準の個人ブロックと、それを複数倍した大型の個人ブロックとを含むことを特徴とする請求項１〜４のいずれかに記載の人物紹介のための情報紙である。
【手続補正７】
【補正対象書類名】明細書
【補正対象項目名】００１３
【補正方法】変更
【補正の内容】
【００１３】
請求項６に係る考案では、前記大型の個人ブロックは、基準紹介欄と、自己紹介欄との配列が、基準の個人ブロックと異なることを特徴とする請求項５記載の人物紹介のための情報紙である。
【手続補正８】
【補正対象書類名】明細書
【補正対象項目名】００１４
【補正方法】変更
【補正の内容】
【００１４】
請求項１に係る考案は、縦横に配列された個人ブロックに、紹介人物のプロフィールが掲載されるため、同一の紙面で複数の紹介人物の情報を同時に知ることができる。従って、満足の行くまで充分に吟味して、個人個人の判断基準及び感性に基づいた納得のゆく交際相手選びができるため、相性がフィットする確率が向上する。
【手続補正９】
【補正対象書類名】明細書
【補正対象項目名】００１５
【補正方法】変更
【補正の内容】
【００１５】
請求項２に係る考案では、基準紹介欄に、共通紹介項目が掲載されるため、複数の紹介人物のプロフィールを同じ尺度によって、しかも多角的に比較検討することができる。従って判断に誤りを生じないとともに、自分に対しても確信の持てる選択を行うことができる。また、年齢示唆欄、住所記載欄及び最高学歴、職業、年収などを含むキャリア欄によって、人物の基本となるアウトラインを明確に知ることができ、確実な判断を可能とする。また請求項３に係る考案のように構成すると、基準紹介欄には、紹介人物の身長、体重、血液型、及び婚姻暦、趣味を含む他の個人情報が一律に掲載されるために、人物像が一層明確化され、その結果利用者は、自分の感性に基づいてより確度の高い判定を行うことができる。
【手続補正１０】
【補正対象書類名】明細書
【補正対象項目名】００１７
【補正方法】変更
【補正の内容】
【００１７】
請求項５に係る考案では、基準の個人ブロックと、大型の個人ブロックとを組み合わせて配置することにより、情報量に変化のあるメリハリの効いた紙面を構成できる。しかも請求項６では、大型の個人ブロックでは、大きさに加えて紹介欄の配列にも違いがあるため、紙面全体の編集に変化が生まれ、読者は適度な刺激を感じて心地良く利用できる。
【手続補正１１】
【補正対象書類名】明細書
【補正対象項目名】００１８
【補正方法】変更
【補正の内容】
【００１８】
また請求項７に係る考案では、男女の紹介領域の別が、情報紙の表裏に分けて、又は色を違えて区別されるため、一目で男女紹介領域を見分けることができて利用者の利便性を高めうる。しかも整然とした紙面構成となるため、読者に良好な印象を与えることができる。
【手続補正１２】
【補正対象書類名】明細書
【補正対象項目名】００２１
【補正方法】変更
【補正の内容】
【００２１】
前記紹介領域４は、図１に示すように、碁盤目状に縦横に並んで配列され、矩形状をなす個人ブロック７に区画され、全体として矩形状をなす。また、各個人ブロック７には、一人の紹介人物のプロフィールが掲載される。本形態では、個人ブロック７は、縦４列、横５行に区画された割付け例が示される。そして本形態の個人ブロック７は、図２に示すように、３ｍｍ程度の太巾で鍵型の仕切り線２１により区画されている。鍵型の仕切り線２１の繰り返しにより洗練されたデザインの個人ブロック７が形成される点で好ましい。